(57)【特許請求の範囲】
【請求項１】
表示装置に各種情報を表示させる表示制御手段と、
第１の時間毎に、ユーザが在席しているか否かを判別する在席判別手段と、
ユーザによる操作が検出されなくなってからの経過時間に基づいて動作モードを省電力モードに移行するための第２の時間を記憶する基準経過時間記憶手段と、
前記基準経過時間記憶手段に記憶された前記第２の時間に基づいて、前記第２の時間よりも短い前記第１の時間を設定するインターバル時間設定手段と、
前記在席手段により在席していないと判別された場合に、前記表示装置を消灯状態とする表示装置制御手段と、
を備えた電子機器。
【請求項２】
前記基準経過時間記憶手段は、複数の省電力モードに対応する複数の前記第２の時間を記憶しており、
前記インターバル時間設定手段は、前記複数の前記第２の時間のうち、最も短い前記第２の時間よりも短い前記第１の時間を設定する、
請求項１記載の電子機器。
【請求項３】
前記在席判別手段は、撮像された画像データが入力され、前記画像データに対応する画像に含まれる前記ユーザを認識する画像認識手段と、
を備えた請求項１または請求項２記載の電子機器。
【請求項４】
撮像を行い前記画像データを出力するカメラを内蔵し、あるいは、撮像を行い前記画像データを出力するカメラが外部接続可能とされた、
請求項３記載の電子機器。
【請求項５】
前記画像認識手段は、前記ユーザを認識するに際し、前記ユーザの顔を認識する、
請求項３または請求項４記載の電子機器。
【請求項６】
前記表示装置を内蔵し、あるいは、前記表示装置が外部接続機器として接続可能とされた、
請求項１乃至請求項５のいずれかに記載の電子機器。
【請求項７】
撮像を行い前記画像データを出力するカメラを内蔵し、前記表示装置が外部接続機器として接続可能とされ、
前記画像認識手段は、前記カメラにより前記表示装置の配置位置方向を撮像した画像データが入力される、
請求項３記載の電子機器。
【請求項８】
前記経過時間をカウントする経過時間タイマを有し、
前記在席判別手段により在席と判別された場合に、前記経過時間タイマのカウント値をリセットする、
請求項１乃至請求項７のいずれかに記載の電子機器。
【請求項９】
前記基準経過時間記憶手段に記憶された前記第２の時間に基づいて前記動作モードを省電力モードに移行するための省電力移行タイマを有し、
前記在席判別手段により在席と判別された場合に、前記省電力移行タイマのカウント値もリセットする、
請求項１乃至請求項８のいずれかに記載の電子機器。
【請求項１０】
前記基準経過時間記憶手段において前記第２の時間が更新された場合には、前記インターバル時間設定手段は、前記第１の時間を更新する、
請求項１乃至請求項９のいずれかに記載の電子機器。
【請求項１１】
ユーザによる操作が検出されなくなってからの経過時間に基づいて動作モードを省電力モードに移行するための第２の時間を記憶する基準経過時間記憶部を備え、表示装置に各種情報を表示させる電子機器において実行される電子機器の制御方法において、
第１の時間毎に、ユーザが在席しているか否かを判別する在席判別過程と、
前記基準経過時間記憶部に記憶された前記第２の時間に基づいて、前記第２の時間よりも短い前記第１の時間を設定するインターバル時間設定手段と、
前記在席判別過程において在席していないと判別された場合に、前記表示装置を消灯状態とする表示装置制御過程と、
を備えた電子機器の制御方法。
【請求項１２】
ユーザによる操作が検出されなくなってからの経過時間に基づいて動作モードを省電力モードに移行するための第２の時間を記憶する基準経過時間記憶部を備え、表示装置に各種情報を表示させる電子機器をコンピュータにより制御する制御プログラムにおいて、
前記コンピュータを、
第１の時間毎に、ユーザが在席しているか否かを判別する在席判別手段と、
前記基準経過時間記憶部に記憶された前記第２の時間に基づいて、前記第２の時間よりも短い前記第１の時間を設定するインターバル時間設定手段と、
前記在席判別手段により在席していないと判別された場合に、前記表示装置を消灯状態とする表示装置制御手段と、
して機能させる、制御プログラム。
【請求項１３】
請求項１２記載の制御プログラムを記録したコンピュータ読取可能な記録媒体。
【発明の詳細な説明】
【技術分野】
【０００１】
本発明の実施形態は、電子機器、電子機器の制御方法、制御プログラム及び記録媒体に関する。
【背景技術】
【０００２】
従来、よりテレビ、ディスプレイ等の表示装置をユーザが利用していない状態を検出し、表示を消すなどして省電力を図る技術が知られている。
例えば、特許文献１には、撮像部が撮像したユーザの顔の検出状態に応じて、テレビの表示を消すことにより、視聴されていない状態でテレビの表示が継続されるのを防止し、省電力を実現する技術が開示されている。
また、特許文献２には、カメラ装置により撮像を行って、ユーザが所定の座席に着座していないことを検出して、表示画面の表示を停止する技術が開示されている。
【先行技術文献】
【特許文献】
【０００３】
【特許文献１】特開２０１１−０６１３００号公報
【特許文献２】特開２０１０―１４５７６５号公報
【発明の概要】
【発明が解決しようとする課題】
【０００４】
ところで、省電力モードへの移行及び省電力モードから通常動作モードへの復帰を迅速に行わせるためには、ユーザを撮像する手段を常時動作させる必要があり、消費電力の低減が図りにくくなる虞があった。
そこで、本発明の目的は、上記に鑑みてなされたものであって、ユーザの状態検出に要する消費電力の低減を図り、ひいては、電子機器全体の消費電力の低減を図ることが可能な電子機器、電子機器の制御方法、制御プログラム及び記録媒体を提供することにある。
【課題を解決するための手段】
【０００５】
実施形態の電子機器の表示制御手段は、表示装置に各種情報を表示させる。
また、基準経過時間記憶手段は、ユーザによる操作が検出されなくなってからの経過時間に基づいて動作モードを省電力モードに移行するための第２の時間を記憶する。
インターバル時間設定手段は、前記基準経過時間記憶手段に記憶された前記第２の時間に基づいて、前記前記第２の時間よりも短い前記第１の時間を設定する。
【０００６】
在席判別手段は、第１の時間毎に、ユーザが在席しているか否かを判別する。
これらの結果、表示装置制御手段は、在席判別手段により在席していないと判別された場合に、表示装置を消灯状態とする。
【図面の簡単な説明】
【０００７】
【図１】図１は、第１実施形態の電子機器としての情報処理装置の概要構成ブロック図である。
【図２】図２は、第１実施形態の動作処理フローチャートである。
【図３】図３は、電源プラン設定値の一例の説明図である。
【図４】図４は、顔検出インターバルの算出方法の概要説明図である。
【図５】図５は、第１実施形態の変形例の情報処理装置の概要構成ブロック図である。
【図６】図６は、第２実施形態の情報処理装置の概要構成ブロック図である。
【発明を実施するための形態】
【０００８】
次に図面を参照して実施形態について詳細に説明する。
［１］第１実施形態
図１は、第１実施形態の電子機器としての情報処理装置の概要構成ブロック図である。
本第１実施形態の情報処理装置１０は、カメラ付きノート型パーソナルコンピュータ（ＰＣ）として構成されている。
【０００９】
情報処理装置１０は、情報処理装置１０全体を制御するＭＰＵ１１と、ＭＰＵ１１が実行する制御プログラム等を不揮発的に記憶するＲＯＭ１２と、ＭＰＵ１１のワークエリアとして用いられ、各種データを一時的に記憶するＲＡＭ１３と、各種インタフェース動作を行う内部Ｉ／Ｏ（入出力部）１４と、内部Ｉ／Ｏ１４を介して接続され、各種データを記憶するハードディスクドライブ、ＳＳＤ（Solid  State  Disk）等として構成された外部記憶装置１５と、を備えている。
【００１０】
また情報処理装置１０は、ディスプレイパネル部１６内に収納された液晶ディスプレイ、ＥＬディスプレイ等として構成されたディスプレイ１７及びＣＣＤ撮像素子あるいはＣＭＯＳ撮像素子を備えたカメラ１８と、キーボード、タッチパネル、マウス等として構成され、ユーザが各種操作を行うための操作装置１９と、記録媒体としてのメモリカードＭＣが挿入されて各種データの読み書きを行うメモリカードリーダライタ（Ｒ／Ｗ）２０と、を備えている。
【００１１】
次に第１実施形態の動作を説明する。
図２は、第１実施形態の動作処理フローチャートである。
この場合において、初期状態においては、カメラ１８の電源はオフ状態であるものとし、ディスプレイの電源はオン状態であるものとする。
まず、ＭＰＵは、オペレーティングシステム（ＯＳ）の電源プラン設定データを参照し電源プラン設定値を取得する（ステップＳ１１）。
ここで、電源プラン設定値としては、当該情報処理装置１０におけるユーザの非操作状態が検出されてから所定の省電力モードに移行する迄の連続する非操作状態の経過時間（＝第２の時間に相当：経過基準時間）が設定される。
【００１２】
省電力モードの種類としては、本実施形態では、以下の４種類がある。
（１）ディスプレイ明るさ低減モード
（２）ディスプレイ電源オフモード
（３）情報処理装置（コンピュータ）スリープモード
（４）情報処理装置（コンピュータ）休止状態モード
【００１３】
ディスプレイ明るさ低減モードは、ディスプレイがバックライト液晶ディスプレイである場合には、バックライトの光量を低下させて省電力を行う。
ディスプレイ電源オフモードは、ディスプレイの電源をオフにして待機電力のみとするものであり、当然ながら、ディスプレイがバックライト液晶ディスプレイの場合には、バックライトは全消灯状態となる。
【００１４】
情報処理装置スリープモードは、パーソナルコンピュータの電力制御に関する規格の一つであるＡＣＰＩ（Advanced  Configuration  and  Power  Interface）規格のスリープステータスＳ３に相当する状態であり、表示機能や外部記憶装置等のデバイスの電源をオフにすることで、消費電力を抑える省電力モードである。しかしながら、実行中のデータをそのまま保持するためにＲＡＭには電力が供給されるため、電源オフ／オンと違って作業を中断した状態からの再開が可能となっている。また、情報処理装置スリープモードから通常動作モードへの復帰も数秒程度と速い。
【００１５】
一方、情報処理装置休止状態モードは、ＡＣＰＩ規格のスリープステータスＳ４に相当する状態であり、ハードディスクドライブ等の外部記憶装置１５上にＲＡＭ１３の内容を退避してから、ＲＡＭ１３を含む各デバイスの電源をオフにするモードである。そのため外部記憶装置１５の記憶領域には、ＲＡＭ１３とほぼ同じ容量の休止状態用のデータ退避領域が確保される。情報処理装置スリープモードとは異なり、完全に電源オフと同様の状態となる。
【００１６】
しかし、ＲＡＭ１３の内容を外部記憶装置１５に退避したり、読み出したりしなければならないため、情報処理装置休止状態モードへの移行や復帰に時間がかかる。
なお、デバイス側から見ると、情報処理装置スリープモード及び情報処理装置休止状態モードのいずれも電源オフとほぼ同様の状態になっているため、各状態への移行にはシャットダウンと、復帰にはシステムの起動（電源オン）とほぼ同様のデバイスならびにデバイス・ドライバの終了／初期化作業が必要になる。
【００１７】
図３は、電源プラン設定値の一例の説明図である。
本実施携帯における電源プラン設定値の種類は、図３に示すように、上述した省電力モードの種類にそれぞれ対応して、ディスプレイ明るさ低減モードの電源プラン設定値ＴＤＩＭ、ディスプレイ電源オフモードの電源プラン設定値ＴＯＦＦ、情報処理装置（コンピュータ）スリープモードの電源プラン設定値ＴＳＬＰ、情報処理装置（コンピュータ）休止状態モードの電源プラン設定値ＴＳＴＰの４種類が存在する。
【００１８】
そして、これらの電源プラン設定値は、オペレーティングシステム（ＯＳ）の主たる管理下でＭＰＵ１１が管理するオペレーティングシステム（ＯＳ）タイマにセットされて、ユーザの操作が行われなくなってからそれぞれ電源プラン設定値に設定された時間が経過した時点で、動作モードが対応する省電力モードへ移行することとなる。なお、以下の説明においては、これらの電源プラン設定値は、分単位で設定されるものとする。
【００１９】
電源プラン設定値の具体的な設定例は、図３（ａ）に示した場合において、ディスプレイ明るさ低減モードの電源プラン設定値ＴＤＩＭ＝２分、ディスプレイ電源オフモードの電源プラン設定値ＴＯＦＦ＝１０分、情報処理装置スリープモードの電源プラン設定値ＴＳＬＰ＝２０分、情報処理装置休止状態モードの電源プラン設定値ＴＳＴＰ＝は３０分である。
【００２０】
また、図３（ｂ）に示した場合において、ディスプレイ明るさ低減モードの電源プラン設定値ＴＤＩＭは設定無し、ディスプレイ電源オフモードの電源プラン設定値ＴＯＦＦは設定無し、情報処理装置（コンピュータ）スリープモードの電源プラン設定値ＴＳＬＰ＝２５分、情報処理装置（コンピュータ）休止状態モードの電源プラン設定値ＴＳＴＰ＝は５０分である。
【００２１】
そしてＭＰＵ１１は、ステップＳ１１で取得した電源プラン設定値ＴＤＩＭ、電源プラン設定値ＴＯＦＦ、電源プラン設定値ＴＳＬＰ及び電源プラン設定値ＴＳＴＰに基づいて、これらの電源プラン設定値のうち最も短い時間に設定されている電源プラン設定値ＴＭＩＮを特定し、顔検出インターバル時間（＝第１の時間に相当）を算出して設定する（ステップＳ１２）。
【００２２】
より具体的には、図３（ａ）の例の場合、ＭＰＵ１１は、最も短い時間に設定されているのは、ディスプレイ明るさ低減モードの電源プラン設定値ＴＤＩＭであるので、
ＴＭＩＮ＝ＴＤＩＭ
とする。
【００２３】
同様に図３（ｂ）の例の場合、ＭＰＵ１１は、最も短い時間に設定されているのは、情報処理装置スリープモードの電源プラン設定値ＴＳＬＰであるので、
ＴＭＩＮ＝ＴＳＬＰ
とする。
【００２４】
図４は、顔検出インターバルの算出方法の概要説明図である。
続いて、ＭＰＵ１１は、最も短い時間に設定されている電源プラン設定値が、１分以下、１分超２０分未満、２０分以上のいずれに属するかを判別する。
そしてＭＰＵ１１は、最も短い時間に設定されている電源プラン設定値が、１分以下の値である場合には、顔検出インターバル期間ＴＩＮＴ＝４５秒とする。
また、ＭＰＵ１１は、最も短い時間に設定されている電源プラン設定値ＴＭＩＮが、１分超２０分以下の値である場合には、顔検出インターバル期間ＴＩＮＴ＝ＴＭＩＮ／２（分）とする。
【００２５】
また、ＭＰＵ１１は、最も短い時間に設定されている電源プラン設定値ＴＭＩＮが、２０分以上の値である場合には、顔検出インターバル期間ＴＩＮＴ＝２０（分）とする。
したがって、図３（ａ）の例の場合には、顔検出インターバル期間ＴＩＮＴは、
ＴＭＩＮ＝ＴＤＩＭ＝２ｍｉｎ
であるので、
ＴＩＮＴ＝２／２
＝１ｍｉｎ
となる。
【００２６】
同様に図３（ｂ）の例の場合には、
ＴＭＩＮ＝ＴＤＩＭ＝２５ｍｉｎ
であるので、
ＴＩＮＴ＝１０ｍｉｎ
となる。
そして、ＭＰＵ１１の顔検出インターバルタイマ（内部タイマ＝経過時間タイマに相当）に顔検出インターバル期間ＴＩＮＴをセットして、カウントを開始する。
【００２７】
続いて、ＭＰＵ１１は、操作装置１９を介したユーザ操作があったか否かを判別する（ステップＳ１３）。
ステップＳ１３の判別において、操作装置１９を介したユーザ操作がなされていない場合には（ステップＳ１３；Ｎｏ）、顔検出インターバルタイマのカウントが完了したか（カウントアップしたか）否かを判別する（ステップＳ１５）。
【００２８】
ステップＳ１５の判別において顔検出インターバルタイマのカウントが完了していない場合には（ステップＳ１５；Ｎｏ）、処理をステップＳ１３に再び移行して以下、同様の処理を行う。
ステップＳ１５の判別において、顔検出インターバルタイマのカウントが完了した場合には（ステップＳ１５；Ｙｅｓ）、カメラ１８を撮像処理に必要な期間だけ起動して撮像を行い、撮像データを取得し、再びカメラ１８の電源をオフする（ステップＳ１６）。
【００２９】
続いてＭＰＵ１１は、顔検出処理、すなわち、在席検出処理を行う（ステップＳ１７）。
続いてＭＰＵ１１は、ステップＳ１７の顔検出処理において顔が検出されたか否か、すなわち、在席検出がなされたか否かを判別する（ステップＳ１８）。
ステップＳ１８の判別において、顔検出、すなわち、在席検出がなされなかった場合には（ステップＳ１８；Ｎｏ）、ＭＰＵ１１は、内部Ｉ／Ｏ１４を介して、ディスプレイ１７の電源をオフする（ステップＳ１９）。
【００３０】
ここで、ディスプレイ１７の電源オフとは、ディスプレイ１７の表示を実効的に行わない消灯状態を意味するものであり、実際にディスプレイの電源をオフする場合の他、例えば、ディスプレイ１７としてバックライト方式の液晶ディスプレイ等を用いる場合には、バックライトを消灯する場合も含む。すなわち、表示制御は継続しつつ、表示を実効的に行わない場合を含むものである。
そしてＭＰＵ１１は処理をステップＳ１３に移行し、以下同様に処理を繰り返すこととなる。
【００３１】
一方、ステップＳ１８の判別において、顔検出、すなわち、在席検出がなされた場合には（ステップＳ１８；Ｙｅｓ）、オペレーティングシステム（ＯＳ）の省エネモード移行用のオペレーティングシステムタイマ（＝省電力移行タイマに相当）をリセットする（ステップＳ２０）。これによりオペレーティングシステムの管理しているオペレーティングシステムタイマの管理と、顔検出インターバルタイマの管理とが独立してばらばらに行われてしまうのを防止することができ、一元管理が行える。
そしてＭＰＵ１１は、内部Ｉ／Ｏ１４を介して、ディスプレイ１７の電源をオン（あるいは、オン状態を維持）する（ステップＳ２１）。
続いて再び処理をステップＳ１３に移行して以下、同様の動作を繰り返すこととなる。
【００３２】
以上の説明のように、本第１実施形態によれば、ユーザの離席が検出されている状態では、オペレーティングシステム（ＯＳ）の省エネモード移行用のオペレーティングシステムタイマに設定される電源プラン設定値の最小ＴＭＩＮよりも短い時間でディスプレイの電源をオフにすることができるので、より一層の省電力を図ることが可能となる。
【００３３】
［１．１］第１実施形態の変形例
図５は、第１実施形態の変形例の情報処理装置の概要構成ブロック図である。
以上の第１実施形態の説明においては、情報処理装置１０として、カメラ内蔵のノート型パーソナルコンピュータであり、情報処理装置１０のディスプレイパネル部１６内にディスプレイ１７及びカメラ１８が一体に収納されている場合のものであったが、本第１実施形態の変形例の情報処理装置１０Ａは、デスクトップ型パーソナルコンピュータとして構成されており、ディスプレイ１７及びカメラ１８が一体に収納されたディスプレイパネル部１６に代えて、外部機器との間で各種インタフェース動作を行う外部Ｉ／Ｏ（入出力部）２１を備え、この外部Ｉ／Ｏ２１を介してカメラ２２を一体に収納した外部ディスプレイ２３が接続された構成を採っている。
【００３４】
上記構成を有する本第１実施形態の変形例においても、第１実施形態と同様に、ユーザの離席が検出されている状態では、オペレーティングシステム（ＯＳ）の省エネモード移行用のオペレーティングシステムタイマに設定される電源プラン設定値の最小ＴＭＩＮよりも短い時間でディスプレイの電源をオフにすることができるので、より一層の省電力を図ることができる。
【００３５】
［２］第２実施形態
以上の説明は、情報処理装置１０のディスプレイパネル部１６内にディスプレイ１７及びカメラ１８が一体に収納されている場合のものであったが、本第２実施形態は、第１実施形態の情報処理装置１０の構成と同様のノート型パーソナルコンピュータに外部ディスプレイを接続し、この外部ディスプレイをメインディスプレイとして使用する場合の実施形態である。
図６は、第２実施形態の情報処理装置の概要構成ブロック図である。図６において、図１または図５と同様の部分には同一の符号を付すものとする。
本第２実施形態の情報処理装置１０Ｂは、情報処理装置１０Ａ全体を制御するＭＰＵ１１と、ＭＰＵ１１が実行する制御プログラム等を不揮発的に記憶するＲＯＭ１２と、ＭＰＵ１１のワークエリアとして用いられ、各種データを一時的に記憶するＲＡＭ１３と、各種インタフェース動作を行う内部Ｉ／Ｏ（入出力部）１４と、内部Ｉ／Ｏ１４を介して接続され、各種データを記憶するハードディスクドライブ、ＳＳＤ（Solid  State  Disk）等として構成された外部記憶装置１５と、を備えている。
【００３６】
また情報処理装置１０Ｂは、ディスプレイパネル部１６内に収納された液晶ディスプレイ、ＥＬディスプレイ等として構成されたディスプレイ１７及びＣＣＤ撮像素子あるいはＣＭＯＳ撮像素子を備えたカメラ１８と、キーボード、タッチパネル、マウス等として構成され、ユーザが各種操作を行うための操作装置１９と、記録媒体としてのメモリカードＭＣが挿入されて各種データの読み書きを行うメモリカードリーダライタ（Ｒ／Ｗ）２０と、を備えている。
さらに情報処理装置１０Ｂは、外部機器との間で各種インタフェース動作を行う外部Ｉ／Ｏ（入出力部）２１と、外部Ｉ／Ｏ（入出力部）２１を介して接続された外部ディスプレイ２５と、を備えている。
ユーザが第２実施形態の情報処理装置１０Ｂを使用する上で第１実施形態の情報処理装置１０を使用する場合と異なる点は、外部ディスプレイをメインディスプレイとして使用しているため、ユーザは、カメラ１８側を見て操作を行わない点である。
したがって、この場合には、第１実施形態と同様に、カメラ１８の撮像方向に対して顔を向けて作業を行っている前提で顔検出を行っていたのでは、ユーザの在席／離席をユーザの顔が横を向いている状態であり、顔として認識できない場合が生じ、在席しているにもかかわらず、離席していると検出され、使い勝手が悪くなる。
そこで、このような場合には、予め、外部ディスプレイ２５を使用する位置に配置し、その状態で、顔検出用の画像データをカメラ１８により撮像してオブジェクト認識を、当該撮像した画像データを顔検出の際の類似度判別用辞書データとして用いる。
【００３７】
これにより外部ディスプレイ２５を使用している場合であっても確実に在席／離席を検出することができ、ユーザの使い勝手を犠牲にすることなく、確実の省電力を図ることが可能となる。
【００３８】
［３］実施形態の変形例
以上の説明においては、電子機器として、情報処理装置（コンピュータ）である場合について説明したが、テレビ装置、ビデオ録画装置等の表示装置を利用する電子機器であれば同様に適用が可能である。
【００３９】
以上の説明においては、一旦、顔検出インターバルタイマの設定については、初期設定を行う場合についてのみ説明したが、ユーザの在席が検出されなくなり（ステップＳ１８；Ｙｅｓ）、ディスプレイ電源がオフされた（ステップＳ１９）後、再びユーザの在席が検出されるまでは、ステップＳ１２で設定された顔検出インターバル時間（＝第１の時間に相当）よりも短い時間に顔検出インターバル時間を設定したり、顔検出インターバル時間を設けることなく、連続して、顔検出を行うようにすることも可能である。
また、以上の説明においては、電源プラン設定値が更新された場合については述べていなかったが、電源プラン設定値が更新された場合には、顔検出インターバルタイマの設定時間についても更新される。これにより、常に顔検出インターバルタイマの設定値が電源プラン設定値の最短値よりも短く設定され、確実に省エネが行える。
以上の説明において、ユーザが在席あるいは離席のいずれであるかを判別するに際して、画像認識技術（オブジェクト認識技術）を用いて顔検出を行う場合について説明したが、顔に限らず、ユーザの上半身など身体の少なくとも一部を撮像した画像から特徴抽出を行い、パターンマッチング、統計的識別法、構造識別法等を用いた画像認識処理を行って在席検出するようにすることも可能である。
【００４０】
また画像認識処理に限らず、ユーザ毎のユニークなＩＤを付与したＲＦＩＤ等の近距離無線通信を用いて在席検出したり、近接センサにより在席検出したりするように構成することも可能である。この場合には、上述したカメラの駆動を行う顔検出インターバル期間を無線通信インターバル期間あるいはセンサ検出インターバル期間として適用すれば良い。
【００４１】
本実施形態の電子機器で実行される制御プログラムは、ＲＯＭ等に予め組み込まれて提供される。
本実施形態の電子機器で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）、メモリカード等のコンピュータで読み取り可能な記録媒体に記録して提供するように構成してもよい。
【００４２】
さらに、本実施形態の電子機器で実行される制御プログラムを、インターネット等のネットワークに接続されたコンピュータ上に格納し、ネットワーク経由でダウンロードさせることにより提供するように構成しても良い。また、本実施形態の電子機器で実行される制御プログラムをインターネット等のネットワーク経由で提供または配布するように構成しても良い。
【００４３】
本実施形態の電子機器で実行される制御プログラムは、上述した各部（表示制御手段、在席判別手段、基準経過時間記憶手段、インターバル時間設定手段、電源制御手段）を含むモジュール構成となっており、実際のハードウェアとしてはＣＰＵ（プロセッサ）が上記ＲＯＭから制御プログラムを読み出して実行することにより上記各部が主記憶装置上にロードされ、表示制御手段、在席判別手段、基準経過時間記憶手段、インターバル時間設定手段及び電源制御手段が主記憶装置上に生成されるようになっている。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
１０、１０Ａ、１０Ｂ  情報処理装置（電子機器）
１１    ＭＰＵ（表示制御手段、インターバル時間設定手段、表示装置制御手段）
１２    ＲＯＭ
１３    ＲＡＭ
１４    内部Ｉ／Ｏ
１５    外部記憶装置
１６    ディスプレイパネル部
１７    ディスプレイ
１８    カメラ
１９    操作装置
２０    メモリカードＲ／Ｗ
２１    外部Ｉ／Ｏ
２２    カメラ
２３    外部ディスプレイ（表示装置）
２５    外部ディスプレイ（表示装置）
ＭＣ    メモリカード
ＴＤＩＭ  電源プラン設定値（第２の時間：基準経過時間）
ＴＩＮＴ  顔検出インターバル期間（第１の時間：インターバル時間）
ＴＭＩＮ  電源プラン設定値（第２の時間：基準経過時間）
ＴＯＦＦ  電源プラン設定値（第２の時間：基準経過時間）
ＴＳＬＰ  電源プラン設定値（第２の時間：基準経過時間）
ＴＳＴＰ  電源プラン設定値（第２の時間：基準経過時間）
【図１】
0005696071.tif 000002
【図２】
0005696071.tif 000003
【図３】
0005696071.tif 000004
【図４】
0005696071.tif 000005
【図５】
0005696071.tif 000006
【図６】
0005696071.tif 000007